(57)【特許請求の範囲】
【請求項１】
携帯端末装置用の第１の表示データを表示手段に表示可能な携帯端末装置と、印刷装置を備えた印刷システムであって、
前記携帯端末装置は、前記表示手段に表示されている第１の表示データの格納先を示すデータ格納先情報と、前記第１の表示データのうち表示手段に実際に表示されている領域である画面表示領域に関する情報を、前記印刷装置に送信する送信手段を備え、
前記印刷装置は、
前記携帯端末装置からのデータ格納先情報と画面表示領域に関する情報を受信する受信手段と、
前記受信手段により受信したデータ格納先情報に基づいて、前記第１の表示データに対応するパーソナルコンピュータ用の第２の表示データを取得するデータ取得手段と、
前記受信手段により受信した画面表示領域に関する情報に基づいて、前記データ取得手段により取得した第２の表示データの中から前記画面表示領域に該当する領域を判別する領域判別手段と、
領域判別手段による判別結果に応じて、第２の表示データの印刷領域を決定する印刷領域決定手段と、
前記決定されたデータの印刷領域を印刷する印刷手段と、
を備えたことを特徴とする印刷システム。
【請求項２】
印刷装置の受信手段で受信される画面表示領域に関する情報は、携帯端末装置の画面に表示されている文字列の情報であり、
前記印刷装置の領域判別手段は、取得した第２の表示データの中の文字列と前記携帯端末装置からの画面表示領域に関する情報に含まれる文字列とのマッチングを取り、最も類似度の高い領域を前記画面表示領域に該当する領域と判別する請求項１に記載の印刷システム。
【請求項３】
印刷装置の受信手段で受信される画面表示領域に関する情報は、携帯端末装置の画面に表示されている情報に含まれるコンテンツ情報であり、
前記印刷装置の領域判別手段は、取得した第２の表示データを解析して前記コンテンツ情報を有する領域を前記画面表示領域に該当する領域と判別する請求項１に記載の印刷システム。
【請求項４】
前記印刷装置はさらに、前記印刷領域決定手段により決定された印刷領域に関する情報を携帯端末装置に送信する送信手段を備え、
前記印刷装置の印刷手段は、前記携帯端末装置に送信された印刷領域に関する情報に対する携帯端末装置からの返信に基づいて、印刷を行う請求項１に記載の印刷システム。
【請求項５】
携帯端末装置に送信される印刷領域に関する情報が、該印刷領域が含まれるページの番号である請求項４に記載の印刷システム。
【請求項６】
携帯端末装置に送信される印刷領域に関する情報が、該印刷領域が含まれるページのプレビュー画像である請求項４または５に記載の印刷システム。
【請求項７】
パーソナルコンピュータ用の第２の表示データを携帯端末装置用の第１の表示データに変換する表示データ変換サーバーと、前記第１の表示データを表示手段に表示可能な携帯端末装置と、印刷装置を備えた印刷システムであって、
前記表示データ変換サーバーは、携帯端末装置からの要求に応じて、第１の表示データを携帯端末装置に送信する送信手段を備え、
前記携帯端末装置は、表示データ変換サーバから送信され表示手段に表示されている第１の表示データの格納先を示すデータ格納先情報と、前記第１の表示データのうち自装置の画面に実際に表示されている領域である画面表示領域に関する情報を、前記印刷装置に送信する送信手段を備え、
前記印刷装置は、携帯端末装置から送信されたデータ格納先情報及び画面表示領域に関する情報を前記表示データ変換サーバに転送する転送手段を備え、
前記表示データ変換サーバーはさらに、
印刷装置から転送されたデータ格納先情報と画面表示領域に関する情報を受信する受信手段と、
前記受信手段により受信したデータ格納先情報に基づいて前記第２の表示データを取得するデータ取得手段と、
前記受信手段により受信した画面表示領域に関する情報に基づいて、前記データ取得手段により取得した第２の表示データの中から前記画面表示領域に該当する領域を判別する領域判別手段と、
領域判別手段による判別結果に応じて、第２の表示データの印刷領域を決定する印刷領域決定手段と、
を備え、
前記印刷装置は、前記表示データ変換サーバの印刷領域決定手段により決定されたデータの印刷領域を印刷することを特徴とする印刷システム。
【請求項８】
携帯端末装置用の第１の表示データを表示可能な表示手段を備えた携帯端末装置から、前記表示手段に表示されている第１の表示データの格納先を示すデータ格納先情報と、前記第１の表示データのうち表示手段に実際に表示されている領域である画面表示領域に関する情報を受信する受信手段と、
前記受信手段により受信したデータ格納先情報に基づいて、前記第１の表示データに対応するパーソナルコンピュータ用の第２の表示データを取得するデータ取得手段と、
前記受信手段により受信した画面表示領域に関する情報に基づいて、前記データ取得手段により取得した第２の表示データの中から前記画面表示領域に該当する領域を判別する領域判別手段と、
領域判別手段による判別結果に応じて、第２の表示データの印刷領域を決定する印刷領域決定手段と、
前記決定されたデータの印刷領域を印刷する印刷手段と、
を備えたことを特徴とする印刷装置。
【請求項９】
前記受信手段で受信される画面表示領域に関する情報は、携帯端末装置の画面に表示されている文字列の情報であり、
前記領域判別手段は、取得した第２の表示データの中の文字列と前記携帯端末装置からの画面表示領域に関する情報に含まれる文字列とのマッチングを取り、最も類似度の高い領域を前記画面表示領域に該当する領域と判別する請求項８に記載の印刷装置。
【請求項１０】
前記受信手段で受信される画面表示領域に関する情報は、携帯端末装置の画面に表示されている情報に含まれるコンテンツ情報であり、
前記領域判別手段は、取得した第２の表示データを解析して前記コンテンツ情報を有する領域を前記画面表示領域に該当する領域と判別する請求項８に記載の印刷装置。
【請求項１１】
前記印刷領域決定手段により決定された印刷領域に関する情報を携帯端末装置に送信する送信手段をさらに備え、
前記印刷手段は、前記携帯端末装置に送信された印刷領域に関する情報に対する携帯端末からの返信に基づいて印刷を行う請求項１０に記載の印刷装置。
【請求項１２】
携帯端末装置に送信される印刷領域に関する情報が、該印刷領域が含まれるページの番号である請求項１１に記載の印刷装置。
【請求項１３】
携帯端末装置に送信される印刷領域に関する情報が、該印刷領域が含まれるページのプレビュー画像である請求項１１または１２に記載の印刷装置。
【請求項１４】
携帯端末装置用の第１の表示データを表示手段に表示可能な携帯端末装置と、印刷装置を備えた印刷システムで実施される印刷方法であって、
前記携帯端末装置は、前記表示手段に表示されている第１の表示データの格納先を示すデータ格納先情報と、前記第１の表示データのうち表示手段に実際に表示されている領域である画面表示領域に関する情報を、前記印刷装置に送信する送信ステップを実施し、
前記印刷装置は、
前記携帯端末装置からのデータ格納先情報と画面表示領域に関する情報を受信する受信ステップと、
前記受信ステップにおいて受信したデータ格納先情報に基づいて、前記第１の表示データに対応するパーソナルコンピュータ用の第２の表示データを取得するデータ取得ステップと、
前記受信ステップにおいて受信した画面表示領域に関する情報に基づいて、前記データ取得ステップにおいて取得した第２の表示データの中から前記画面表示領域に該当する領域を判別する領域判別ステップと、
領域判別ステップにおける判別結果に応じて、第２の表示データの印刷領域を決定する印刷領域決定ステップと、
前記決定されたデータの印刷領域を印刷する印刷ステップと、
を実施することを特徴とする印刷方法。
【請求項１５】
パーソナルコンピュータ用の第２の表示データを携帯端末装置用の第１の表示データに変換する表示データ変換サーバと、前記第１の表示データを表示手段に表示可能な携帯端末装置と、印刷装置を備えた印刷システムで実施される印刷方法であって、
前記表示データ変換サーバは、携帯端末装置からの要求に応じて、第１の表示データを携帯端末装置に送信する送信ステップを実施し、
前記携帯端末装置は、表示データ変換サーバから送信され表示手段に表示されている第１の表示データの格納先を示すデータ格納先情報と、前記第１の表示データのうち自装置の画面に実際に表示されている領域である画面表示領域に関する情報を、前記印刷装置に送信する送信ステップを実施し、
前記印刷装置は、携帯端末装置から送信されたデータ格納先情報及び画面表示領域に関する情報を前記表示データ変換サーバに転送する転送ステップを実施し、
前記表示データ変換サーバはさらに、
印刷装置から転送されたデータ格納先情報と画面表示領域に関する情報を受信する受信ステップと、
前記受信ステップにおいて受信したデータ格納先情報に基づいて前記第２の表示データを取得するデータ取得ステップと、
前記受信ステップにおいて受信した画面表示領域に関する情報に基づいて、前記データ取得ステップにおいて取得した第２の表示データの中から前記画面表示領域に該当する領域を判別する領域判別ステップと、
領域判別ステップにおける判別結果に応じて、第２の表示データの印刷領域を決定する印刷領域決定ステップと、
を実施し、
前記印刷装置は、前記表示データ変換サーバの印刷領域決定ステップにおいて決定されたデータの印刷領域を印刷することを特徴とする印刷方法。
【請求項１６】
携帯端末装置用の第１の表示データを表示可能な表示手段を備えた携帯端末装置から、前記表示手段に表示されている第１の表示データの格納先を示すデータ格納先情報と、前記第１の表示データのうち表示手段に実際に表示されている領域である画面表示領域に関する情報を受信する受信ステップと、
前記受信ステップにおいて受信したデータ格納先情報に基づいて、前記第１の表示データに対応するパーソナルコンピュータ用の第２の表示データを取得するデータ取得ステップと、
前記受信ステップにおいて受信した画面表示領域に関する情報に基づいて、前記データ取得ステップにおいて取得した第２の表示データの中から前記画面表示領域に該当する領域を判別する領域判別ステップと、
領域判別ステップにおける判別結果に応じて、第２の表示データの印刷領域を決定する印刷領域決定ステップと、
前記決定されたデータの印刷領域を印刷する印刷ステツプと、
を印刷装置のコンピュータに実行させるための印刷プログラム。
【発明の詳細な説明】
【技術分野】
【０００１】
本発明は、パーソナルコンピュータ用の第１の表示データから変換された携帯端末装置用の第２の表示データを表示手段に表示可能な携帯端末装置と、印刷装置を備えた印刷システム、この印刷システムに好適に用いられる印刷装置と携帯端末装置、印刷方法及び印刷プログラムに関する。
【背景技術】
【０００２】
携帯電話、情報端末装置等の携帯端末装置の表示画面は、パーソナルコンピュータ（以下、ＰＣともいう）の表示画面に較べて小さい。このため、例えばウェブページ等のデータを携帯端末装置の画面に表示させる場合、サイトによっては、ＰＣ用ページと携帯端末装置用（以下、携帯用ともいう）ページが用意されており、携帯端末装置は携帯用ページのデータを取得して表示させている。
【０００３】
また、ＰＣ用に用意されたページを携帯端末装置で表示させるために、ページを分割したり、不要な項目を削減したページを生成する、といったページ変換サイトも存在する。あるいは携帯端末装置のブラウザ側でＰＣ用の画像を非表示にするものもある。
【０００４】
しかし、該当するサイトのウェブページを印刷装置で印刷する場合、用紙サイズは、通常、Ａ４サイズもしくはＬｅｔｔｅｒサイズで印刷される場合が多い。そのサイズで、携帯用の小さい画面用にカスタマイズされた画面データを印刷すると、文字が大きくなりすぎたり、画像解像度が粗いまま拡大されて印刷されたりする。
【０００５】
そこで従来、携帯端末装置からウェブページを印刷する際には、プリンタもしくは中間サーバーに印刷対象である携帯用ウェブページのＵＲＬ（Uniform Resource Locator）を送り、プリンタもしくは中間サーバーが、対応するＰＣ用ページを取得して印刷する方法が取られている。
【０００６】
具体的には、図８に示すように、携帯端末装置１からインターネット上のウェブサービス３にＵＲＬを指定してデータ取得リクエストを送信して（丸数字１）、携帯用ウェブページのデータを取得し（丸数字２）、携帯端末装置１の画面に表示する。ユーザーが、携帯端末装置に表示されているデータを印刷したい場合には、携帯端末装置１からそのウェブページのＵＲＬを印刷装置に送信する（丸数字３）。印刷装置は、受信したＵＲＬを基にデータ取得リクエストをウェブサービス３に送信し（丸数字４）、ＰＣ用ウェブページのデータをダウンロードして印刷する（丸数字５）。
【０００７】
また、特許文献１には、携帯端末装置で表示できないウェブデータについて、フルブラウザ機能を備えた印刷装置にデータを送信して印刷させる、という技術が開示されている。より具体的には、ウェブデータの閲覧に際し、小さい画面用の第１ウェブ閲覧手段と、携帯装置の画面より大きいサイズの画面に表示する第２ウェブ閲覧手段を備え、二つの表示手段で取得されるオブジェクトの組み合わせによって付加情報の有無を判断し、付加情報がある場合は、携帯端末装置の画面より大きいサイズの画面での表示を印刷する、という処理を行っている。
【先行技術文献】
【特許文献】
【０００８】
【特許文献１】特開２００７−２７２５４４号公報
【発明の概要】
【発明が解決しようとする課題】
【０００９】
しかしながら、特許文献１を含め従来の技術では、付加情報のボリュームが大きいウェブページであると、不要な情報が大量に印刷されてしまい、ユーザーにとって無駄が生じるという問題がある。
【００１０】
例として、インターネット百科事典であるウィキペディア（Wikipedia）における「日本」という項目を挙げる。該当ページをユーザーが携帯端末装置で閲覧する場合、該当ＵＲＬは「http://ja.m.wikipedia・・・」となる。このページでは、項目の一部は閉じられ、部分的にデータが表示されている。
【００１１】
これをＰＣ用ページである「http://ja.wikipedia・・・」に変換して該ページを印刷装置に印刷させると、全ての項目が展開され、Ａ４用紙４９ページの情報が印刷されてしまう。
【００１２】
このように、携帯端末装置で閲覧している携帯用のウェブページをＰＣ用のウェブページに変換して印刷した場合、大量の不要な情報が印刷されてしまうおそれがあるという問題があった。
【００１３】
このような問題は、携帯用のウェブページをＰＣ用のウェブページに変換して印刷する場合に限られず、携帯用データとＰＣ用データの２種類のデータからなる所定形式の文書ファイルが保存されている文書サーバから、携帯用の文書データをダウンロードして携帯端末装置で閲覧するとともに、携帯用の文書データをＰＣ用の文書データに変換して印刷装置に印刷させるような場合も、同様に発生するおそれがあった。
【００１４】
この発明は、このような技術的背景に鑑みて成されたものであって、携帯端末装置で閲覧している携帯用の表示データをＰＣ用の表示データに変換して印刷装置により印刷する場合に、大量の不要なデータが印刷される問題を解消できる印刷システム、及びこの印刷システムに好適に用いられる印刷装置と携帯端末装置を提供し、さらに前記印刷システムで実行される印刷方法、及び印刷装置のコンピュータに印刷処理を実行させるための印刷プログラムを提供することを課題とする。
【課題を解決するための手段】
【００１５】
上記課題は以下の手段により解決される。
（１）携帯端末装置用の第１の表示データを表示手段に表示可能な携帯端末装置と、印刷装置を備えた印刷システムであって、前記携帯端末装置は、前記表示手段に表示されている第１の表示データの格納先を示すデータ格納先情報と、前記第１の表示データのうち表示手段に実際に表示されている領域である画面表示領域に関する情報を、前記印刷装置に送信する送信手段を備え、前記印刷装置は、前記携帯端末装置からのデータ格納先情報と画面表示領域に関する情報を受信する受信手段と、前記受信手段により受信したデータ格納先情報に基づいて、前記第１の表示データに対応するパーソナルコンピュータ用の第２の表示データを取得するデータ取得手段と、前記受信手段により受信した画面表示領域に関する情報に基づいて、前記データ取得手段により取得した第２の表示データの中から前記画面表示領域に該当する領域を判別する領域判別手段と、領域判別手段による判別結果に応じて、第２の表示データの印刷領域を決定する印刷領域決定手段と、前記決定されたデータの印刷領域を印刷する印刷手段と、を備えたことを特徴とする印刷システム。
（２）印刷装置の受信手段で受信される画面表示領域に関する情報は、携帯端末装置の画面に表示されている文字列の情報であり、前記印刷装置の領域判別手段は、取得した第２の表示データの中の文字列と前記携帯端末装置からの画面表示領域に関する情報に含まれる文字列とのマッチングを取り、最も類似度の高い領域を前記画面表示領域に該当する領域と判別する前項１に記載の印刷システム。
（３）印刷装置の受信手段で受信される画面表示領域に関する情報は、携帯端末装置の画面に表示されている情報に含まれるコンテンツ情報であり、前記印刷装置の領域判別手段は、取得した第２の表示データを解析して前記コンテンツ情報を有する領域を前記画面表示領域に該当する領域と判別する前項１に記載の印刷システム。
（４）前記印刷装置はさらに、前記印刷領域決定手段により決定された印刷領域に関する情報を携帯端末装置に送信する送信手段を備え、前記印刷装置の印刷手段は、前記携帯端末装置に送信された印刷領域に関する情報に対する携帯端末装置からの返信に基づいて、印刷を行う前項１に記載の印刷システム。
（５）携帯端末装置に送信される印刷領域に関する情報が、該印刷領域が含まれるページの番号である前項４に記載の印刷システム。
（６）携帯端末装置に送信される印刷領域に関する情報が、該印刷領域が含まれるページのプレビュー画像である前項４または５に記載の印刷システム。
（７）パーソナルコンピュータ用の第２の表示データを携帯端末装置用の第１の表示データに変換する表示データ変換サーバーと、前記第１の表示データを表示手段に表示可能な携帯端末装置と、印刷装置を備えた印刷システムであって、前記表示データ変換サーバーは、携帯端末装置からの要求に応じて、第１の表示データを携帯端末装置に送信する送信手段を備え、前記携帯端末装置は、表示データ変換サーバから送信され表示手段に表示されている第１の表示データの格納先を示すデータ格納先情報と、前記第１の表示データのうち自装置の画面に実際に表示されている領域である画面表示領域に関する情報を、前記印刷装置に送信する送信手段を備え、前記印刷装置は、携帯端末装置から送信されたデータ格納先情報及び画面表示領域に関する情報を前記表示データ変換サーバに転送する転送手段を備え、前記表示データ変換サーバーはさらに、印刷装置から転送されたデータ格納先情報と画面表示領域に関する情報を受信する受信手段と、前記受信手段により受信したデータ格納先情報に基づいて前記第２の表示データを取得するデータ取得手段と、前記受信手段により受信した画面表示領域に関する情報に基づいて、前記データ取得手段により取得した第２の表示データの中から前記画面表示領域に該当する領域を判別する領域判別手段と、領域判別手段による判別結果に応じて、第２の表示データの印刷領域を決定する印刷領域決定手段と、を備え、前記印刷装置は、前記表示データ変換サーバの印刷領域決定手段により決定されたデータの印刷領域を印刷することを特徴とする印刷システム。
（８）携帯端末装置用の第１の表示データを表示可能な表示手段を備えた携帯端末装置から、前記表示手段に表示されている第１の表示データの格納先を示すデータ格納先情報と、前記第１の表示データのうち表示手段に実際に表示されている領域である画面表示領域に関する情報を受信する受信手段と、前記受信手段により受信したデータ格納先情報に基づいて、前記第１の表示データに対応するパーソナルコンピュータ用の第２の表示データを取得するデータ取得手段と、前記受信手段により受信した画面表示領域に関する情報に基づいて、前記データ取得手段により取得した第２の表示データの中から前記画面表示領域に該当する領域を判別する領域判別手段と、領域判別手段による判別結果に応じて、第２の表示データの印刷領域を決定する印刷領域決定手段と、前記決定されたデータの印刷領域を印刷する印刷手段と、を備えたことを特徴とする印刷装置。
（９）前記受信手段で受信される画面表示領域に関する情報は、携帯端末装置の画面に表示されている文字列の情報であり、前記領域判別手段は、取得した第２の表示データの中の文字列と前記携帯端末装置からの画面表示領域に関する情報に含まれる文字列とのマッチングを取り、最も類似度の高い領域を前記画面表示領域に該当する領域と判別する前項８に記載の印刷装置。
（１０）前記受信手段で受信される画面表示領域に関する情報は、携帯端末装置の画面に表示されている情報に含まれるコンテンツ情報であり、前記領域判別手段は、取得した第２の表示データを解析して前記コンテンツ情報を有する領域を前記画面表示領域に該当する領域と判別する前項８に記載の印刷装置。
（１１）前記印刷領域決定手段により決定された印刷領域に関する情報を携帯端末装置に送信する送信手段をさらに備え、前記印刷手段は、前記携帯端末装置に送信された印刷領域に関する情報に対する携帯端末からの返信に基づいて印刷を行う前項１０に記載の印刷装置。
（１２）携帯端末装置に送信される印刷領域に関する情報が、該印刷領域が含まれるページの番号である前項１１に記載の印刷装置。
（１３）携帯端末装置に送信される印刷領域に関する情報が、該印刷領域が含まれるページのプレビュー画像である前項１１または１２に記載の印刷装置。
（１４）携帯端末装置用の第１の表示データを表示手段に表示可能な携帯端末装置と、印刷装置を備えた印刷システムで実施される印刷方法であって、前記携帯端末装置は、前記表示手段に表示されている第１の表示データの格納先を示すデータ格納先情報と、前記第１の表示データのうち表示手段に実際に表示されている領域である画面表示領域に関する情報を、前記印刷装置に送信する送信ステップを実施し、前記印刷装置は、前記携帯端末装置からのデータ格納先情報と画面表示領域に関する情報を受信する受信ステップと、前記受信ステップにおいて受信したデータ格納先情報に基づいて、前記第１の表示データに対応するパーソナルコンピュータ用の第２の表示データを取得するデータ取得ステップと、前記受信ステップにおいて受信した画面表示領域に関する情報に基づいて、前記データ取得ステップにおいて取得した第２の表示データの中から前記画面表示領域に該当する領域を判別する領域判別ステップと、領域判別ステップにおける判別結果に応じて、第２の表示データの印刷領域を決定する印刷領域決定ステップと、前記決定されたデータの印刷領域を印刷する印刷ステップと、を実施することを特徴とする印刷方法。
（１５）パーソナルコンピュータ用の第２の表示データを携帯端末装置用の第１の表示データに変換する表示データ変換サーバと、前記第１の表示データを表示手段に表示可能な携帯端末装置と、印刷装置を備えた印刷システムで実施される印刷方法であって、前記表示データ変換サーバは、携帯端末装置からの要求に応じて、第１の表示データを携帯端末装置に送信する送信ステップを実施し、前記携帯端末装置は、表示データ変換サーバから送信され表示手段に表示されている第１の表示データの格納先を示すデータ格納先情報と、前記第１の表示データのうち自装置の画面に実際に表示されている領域である画面表示領域に関する情報を、前記印刷装置に送信する送信ステップを実施し、前記印刷装置は、携帯端末装置から送信されたデータ格納先情報及び画面表示領域に関する情報を前記表示データ変換サーバに転送する転送ステップを実施し、前記表示データ変換サーバはさらに、印刷装置から転送されたデータ格納先情報と画面表示領域に関する情報を受信する受信ステップと、前記受信ステップにおいて受信したデータ格納先情報に基づいて前記第２の表示データを取得するデータ取得ステップと、前記受信ステップにおいて受信した画面表示領域に関する情報に基づいて、前記データ取得ステップにおいて取得した第２の表示データの中から前記画面表示領域に該当する領域を判別する領域判別ステップと、領域判別ステップにおける判別結果に応じて、第２の表示データの印刷領域を決定する印刷領域決定ステップと、を実施し、前記印刷装置は、前記表示データ変換サーバの印刷領域決定ステップにおいて決定されたデータの印刷領域を印刷することを特徴とする印刷方法。
（１６）携帯端末装置用の第１の表示データを表示可能な表示手段を備えた携帯端末装置から、前記表示手段に表示されている第１の表示データの格納先を示すデータ格納先情報と、前記第１の表示データのうち表示手段に実際に表示されている領域である画面表示領域に関する情報を受信する受信ステップと、前記受信ステップにおいて受信したデータ格納先情報に基づいて、前記第１の表示データに対応するパーソナルコンピュータ用の第２の表示データを取得するデータ取得ステップと、前記受信ステップにおいて受信した画面表示領域に関する情報に基づいて、前記データ取得ステップにおいて取得した第２の表示データの中から前記画面表示領域に該当する領域を判別する領域判別ステップと、領域判別ステップにおける判別結果に応じて、第２の表示データの印刷領域を決定する印刷領域決定ステップと、前記決定されたデータの印刷領域を印刷する印刷ステツプと、を印刷装置のコンピュータに実行させるための印刷プログラム。
【発明の効果】
【００１６】
前項（１）に記載の発明によれば、携帯端末装置に表示されている携帯端末装置用の第１の表示データの格納先を示すデータ格納先情報と、第１の表示データのうち表示手段に実際に表示されている領域である画面表示領域に関する情報が、携帯端末装置から印刷装置に送信されると、印刷装置は、受信したデータ格納先情報に基づいて、第１の表示データに対応するパーソナルコンピュータ用の第２の表示データを取得するとともに、携帯端末装置からの画面表示領域に関する情報に基づいて、前記取得した第２の表示データの中から前記画面表示領域に該当する領域を判別し、判別結果に応じて第２の表示データの印刷領域を決定し、この決定されたデータの印刷領域を印刷する。
【００１７】
つまり、ＰＣ用の表示データを、ユーザーが携帯端末装置で実際に閲覧している領域を中心にして印刷できるので、ユーザーにとって不要な情報が大量に印刷されて無駄を生じるという不都合を解消することができる。
【００１８】
前項（２）に記載の発明によれば、取得した第２の表示データの中の文字列と前記携帯端末装置からの画面表示領域に関する情報に含まれる文字列とのマッチングを取り、最も類似度の高い領域が画面表示領域に該当する領域と判別されるので、確度の高い判定が可能となる。
【００１９】
前項（３）に記載の発明によれば、取得した第２の表示データを解析して、携帯端末装置の画面に表示されている情報に含まれるコンテンツ情報を有する領域が、画面表示領域に該当する領域と判別されるので、確度の高い判定が可能となる。
【００２０】
前項（４）に記載の発明によれば、印刷装置は、携帯端末装置に送信された印刷領域に関する情報に対する携帯端末装置からの返信に基づいて、印刷を行うから、携帯端末装置のユーザーの意思を確認して印刷を行うことができる。
【００２１】
前項（５）に記載の発明によれば、ユーザーは、印刷装置から送信された、印刷領域が含まれるページの番号を確認して、印刷装置に印刷を実行させることができる。
【００２２】
前項（６）に記載の発明によれば、ユーザーは、印刷装置から送信された、印刷領域が含まれるページのプレビュー画像を確認して、印刷装置に印刷を実行させることができる。
【００２３】
前項（７）に記載の発明によれば、ユーザーが携帯端末装置で実際に閲覧している領域を中心にして、サーバーがＰＣ用の表示データから印刷領域を決定し、決定された印刷領域を印刷装置が印刷するので、ユーザーにとって不要な情報が大量に印刷されて無駄を生じるという不都合を解消することができる。
【００２４】
前項（８）に記載の発明によれば、ＰＣ用の表示データを、ユーザーが携帯端末装置で実際に閲覧している領域を中心にして印刷でき、ユーザーにとって不要な情報が大量に印刷されて無駄を生じるという不都合を解消することができる印刷装置となしうる。
【００２５】
前項（９）に記載の発明によれば、取得した第２の表示データの中の文字列と前記携帯端末装置からの画面表示領域に関する情報に含まれる文字列とのマッチングを取り、最も類似度の高い領域が画面表示領域に該当する領域と判別されるので、確度の高い判定が可能となる。
【００２６】
前項（１０）に記載の発明によれば、取得した第２の表示データを解析して、携帯端末装置の画面に表示されている情報に含まれるコンテンツ情報を有する領域が、画面表示領域に該当する領域と判別されるので、確度の高い判定が可能となる。
【００２７】
前項（１１）に記載の発明によれば、携帯端末装置に送信された印刷領域に関する情報に対する携帯端末からの返信に基づいて、印刷を行うから、携帯端末装置のユーザーの意思を確認して印刷を行うことができる。
【００２８】
前項（１２）に記載の発明によれば、ユーザーによってページ番号が確認されたページを印刷することができる。
【００２９】
前項（１３）に記載の発明によれば、ユーザーによってプレビュー画像が確認されたページを印刷することができる。
【００３１】
前項（１４）に記載の発明によれば、ＰＣ用の表示データを、ユーザーが携帯端末装置で実際に閲覧している領域を中心にして印刷できるので、ユーザーにとって不要な情報が大量に印刷されて無駄を生じるという不都合を解消することができる。
【００３２】
前項（１５）に記載の発明によれば、ユーザーが携帯端末装置で実際に閲覧している領域を中心にして、中間処理サーバがＰＣ用の表示データから印刷領域を決定し、決定された印刷領域を印刷装置が印刷するので、ユーザーにとって不要な情報が大量に印刷されて無駄を生じるという不都合を解消することができる。
【００３３】
前項（１６）に記載の発明によれば、ＰＣ用の表示データを、ユーザーが携帯端末装置で実際に閲覧している領域を中心にして印刷する処理を、印刷装置のコンピュータに実行させることができる。
【図面の簡単な説明】
【００３４】
【図１】この発明の一実施形態に係る印刷システムの構成図である。
【図２】携帯端末装置の機能的構成を示すブロック図である。
【図３】印刷装置の機能的構成を示すブロック図である。
【図４】（Ａ）は携帯端末装置で表示されている携帯用ウェブページに対応するＰＣ用データを印刷装置で印刷する場合の携帯端末装置の動作を示すフローチャート、（Ｂ）は印刷装置の動作を示すフローチャートである。
【図５】この発明の他の実施形態に係る印刷システムの構成図である。
【図６】（Ａ）は図５の実施形態において、携帯端末装置で表示されている携帯用ウェブページに対応するＰＣ用データを印刷装置で印刷する場合の携帯端末装置の動作を示すフローチャート、（Ｂ）は印刷装置の動作を示すフローチャートである。
【図７】この発明のさらに他の実施形態に係る印刷システムの構成図である。
【図８】従来の印刷システムの動作を説明するための図である。
【発明を実施するための形態】
【００３５】
次に、この発明の実施形態を図面に基づいて説明する。
【００３６】
図１は、この発明の一実施形態に係る印刷システムの構成図である。この印刷システムは、携帯端末装置１と印刷装置２を備え、これらの各装置はインターネット上のウェブ（Ｗｅｂ）サービス（ウェブサーバー）３に接続可能となされるとともに、携帯端末装置１と印刷装置２の相互間でもネットワークを通じて接続されている。
【００３７】
前記携帯端末装置１は、携帯電話、携帯情報端末等からなり、ユーザが所持し携行するものである。携帯端末装置１の機能的構成を図２のブロック図に示す。
【００３８】
携帯端末装置１は、図２に示すように、ＣＰＵ１１、ＲＯＭ１２、ＲＡＭ１３、記憶部１４、表示部１５、ネットワークインターフェース部（ネットワークＩ/F部）１６等を備えている。
【００３９】
ＣＰＵ１１は、ＲＯＭ１２に格納されている動作プログラムを実行することにより、携帯端末装置１の全体を統括的に制御する。特に、この実施形態では、ネットワークインターフェース部１６を介してウェブサービス３および印刷装置２との間でデータの送受信を行うが、詳細は後述する。
【００４０】
ＲＯＭ１２は、ＣＰＵ１１に実行させるための動作プログラムやその他のデータを保存する記憶媒体である。
【００４１】
ＲＡＭ１３は、ＣＰＵ１１が動作プログラムに従って動作する際の作業領域を提供する記憶媒体である。
【００４２】
記憶部１４は、ハードディスク等の記憶媒体からなり、各種のデータやブラウザ等のソフトウェアを記憶する。
【００４３】
表示部１５は、種々の画面、データ、メッセージなどを表示するものであり、例えば液晶表示装置等によって形成されている。また、この実施形態では表示部１５はタッチパネルにより形成されることにより入力操作部１５１としての機能も有しており、ユーザが画面をタッチすることで各種の入力や操作指示等を行うことができるものとなされている。
【００４４】
ネットワークインターフェース部（ネットワークＩ／Ｆ部）１６は、ＣＰＵ１１の制御のもとに、ウェブサービス３や印刷装置２との間でデータの送受信を行う通信手段として機能する。なお、図示は省略したが、携帯端末装置１は電話機能も備えている。
【００４５】
図３は、印刷装置２の機能的構成を示すブロック図である。印刷装置２として、この実施形態では、コピー機能、プリンタ機能、スキャン機能、ファクシミリ機能等の複数の機能を有する多機能デジタル複合機であるＭＦＰ（Multi Function Peripherals）が用いられており、ＣＰＵ２１と、ＲＯＭ２２と、ＲＡＭ２３と、スキャナ部２４と、記憶部２５と、プリンタ部２６と、操作パネル２７と、ネットワークコントローラ（Ｎ１Ｃ）２８等を備えている。
【００４６】
前記ＣＰＵ２１は、印刷装置２の全体を統括制御し、コピー機能、プリンタ機能、スキャン機能、ファクシミリ機能等の基本機能を使用可能に制御する。また、携帯端末装置１から送信された情報に基づいて、ウェブサービス３からデータをダウンロードしたり、印刷領域を決定する等の動作を実行するが、詳細は後述する。
【００４７】
ＲＯＭ２２は、ＣＰＵ２１の動作プログラム等を格納するメモリである。
【００４８】
ＲＡＭ２３は、ＣＰＵ２１が動作プログラムに基づいて動作する際の作業領域を提供するメモリである。
【００４９】
スキャナ部２４は、原稿台（図示せず）に置かれた原稿の画像を読み取り、画像データを出力する読み取り手段である。
【００５０】
記憶部２５は、例えばハードディスクドライブ（ＨＤＤ）などの不揮発性の記憶デバイスにより構成されており、スキャナ部２４で読み取られた原稿の画像データや携帯端末装置１から送信されてきたデータ、あるいはブラウザ等のソフトウェアが記憶されている。
【００５１】
プリンタ部２６は、スキャナ部２４で読み取られた原稿の画像データや、ウェブサービス３からダウンロードしたＰＣ用ウェブページの所定印刷領域等を、指示されたモードに従って印刷するものである。
【００５２】
操作パネル２７は、各種入力操作等のために使用されるものであり、メッセージや操作画面等を表示するタッチパネル式液晶等からなる表示部２７ａと、テンキー、スタートキー、ストップキー等のハードキーを備えたキー入力部２７ｂを備えている。
【００５３】
ネットワークコントローラ２８は、ネットワーク上の携帯端末装置１やウェブサービス３との間での通信を制御することにより、データの送受信を行うものである。
【００５４】
次に、図１に示した印刷システムにおいて、携帯端末装置１で表示されている携帯用ウェブページの領域に対応する領域のＰＣ用ウェブページを、印刷装置２で印刷する場合の手順を説明する。
【００５５】
ユーザーの操作に基づいて、携帯端末装置１のＣＰＵ１１は、インターネット上のウェブサービス３に所定のＵＲＬを指定してデータ取得リクエストを送信し（丸数字１）、携帯用ウェブページのデータを取得し（丸数字２）、表示部１５に表示する。
【００５６】
ユーザーが、携帯端末装置１の表示部１５に表示されているデータに対応するＰＣ用データを印刷したい場合には、携帯端末装置１の表示操作部１５１を操作して印刷指示を行うと、携帯端末装置１のＣＰＵ１１は、表示部１５に表示されている携帯用ウェブページの格納先情報であるＵＲＬと、表示部１５に実際に表示されている領域（ユーザが閲覧している領域）である画面表示領域に関する情報を、印刷装置２に送信する（丸数字３）。携帯用ウェブページのＵＲＬには、ＰＣ用ウェブページのＵＲＬの情報等が含まれている。
【００５７】
印刷装置２のＣＰＵ２１は、受信したＵＲＬをＰＣ用ウェブページのＵＲＬに変換するとともに、該ＵＲＬを指定してウェブサービス３にリクエストを送信し（丸数字４）、ＰＣ用ウェブページのデータをダウンロードする（丸数字５）。そして、携帯端末装置１から送信された画面表示領域に関する情報に基づいて、ダウンロードしたＰＣ用ウェブページのデータの中から前記画面表示領域に該当する領域を判別し（丸数字６）、この判別結果を基にダウンロードしたデータの中から印刷領域を決定し、プリンタ部２６を介して印刷を実行する（丸数字７）。
【００５８】
なお、携帯用ウェブページのＵＲＬのＰＣ用ウェブページのＵＲＬへの変換は、印刷装置２により行われなくても、ウェブサービス３側で行われてもよい。
【００５９】
上記において、印刷装置２により実施される、ダウンロードしたＰＣ用ウェブページにおける前記画面表示領域に該当する領域の判別処理は、具体的にはたとえば次のようにして行われる。
【００６０】
即ち、携帯端末装置１のＣＰＵ１１は、表示部１５の画面内に表示されているデータの中の文字列を抽出し、この文字列の情報を画面表示領域に関する情報として印刷装置２に送信する。例えば、携帯用データとして携帯端末装置１に表示されている領域が、インターネット百科事典であるウィキペディアにおける「日本」という欄の中の「地理・地勢」の項目である場合、携帯用データ中の８ページ目に示されている表示文字列、例えば「地理・地勢  ６８５２の島から・・・」が抽出され、印刷装置２へ送信される。
【００６１】
印刷装置２は、ダウンロードしたＰＣ用ウェブページの中の文字列と、前記携帯端末装置１から画面表示領域に関する情報として送信された文字列とのマッチングを取り、最も類似度の高い領域を、ＰＣ用ウェブページにおける画面表示領域に該当する領域と判別する。
【００６２】
このように、取得したＰＣ用ウェブページの中の文字列と、携帯端末装置１から送信された画面表示領域に関する情報としての文字列とのマッチングを取り、最も類似度の高い領域が画面表示領域に該当する領域と判別されるので、確度の高い判定が可能となる。
【００６３】
また、別の判別方法として、携帯端末装置１で表示中のコンテンツ情報を使用する方法がある。
【００６４】
即ち、携帯端末装置１のＣＰＵ１１は、表示部１５に現在表示されているコンテンツ情報(例えば画像のファイル名や、タグの名称等)を取得し、この取得したコンテンツ情報を画面表示領域に関する情報として印刷装置２に送信する。例えば、携帯用ウェブページとして携帯端末装置１に表示されている領域が、インターネット百科事典であるウィキペディアにおける「日本」という欄の中の「地理・地勢」の項目である場合、携帯用データの中の８ページ目のタグ、例えば「地理・地勢」というタグが送信される。なお、コンテンツ情報と前述した表示文字列の両方を、画面表示領域に関する情報として印刷装置２に送信しても良い。
【００６５】
印刷装置２は、受信した携帯端末装置１からのコンテンツ情報が、ダウンロードしたＰＣ用ウェブページ中のどこに含まれているかを解析・抽出し、抽出した領域を画面表示領域に該当する領域と判定する。
【００６６】
このように、取得したＰＣ用ウェブページのデータを解析して、画面表示領域に関する情報としてのコンテンツ情報を有する領域が、画面表示領域に該当する領域と判別されるので、やはり確度の高い判定が可能となる。
【００６７】
印刷領域決定処理において決定される印刷領域は、画面表示領域に該当する領域を含む複数ページであってもいいし、該当する領域を先頭に、指定する枚数だけページを印刷しても良い。例えば、コンビニエンスストア等に設置された印刷装置を利用して印刷を行う場合、携帯端末装置１にウェブページを表示させて印刷を指定すると、標準として該当領域を含む1ページが印刷され、追加料金を支払うと、続きのページが印刷される構成としても良い。
【００６８】
また、該当する領域を含む章の全てを印刷しても良い。例えば、ウェブページのＨＴＭＬを解析して、該当する領域が含まれるタグを検索し、そのタグで囲まれた範囲の領域を全て抽出して印刷する構成としても良い。
【００６９】
また、該当する領域がページの中心もしくはページの先頭になるように、レイアウトを変更しても良い。
【００７０】
このように、この実施形態では、ＰＣ用ウェブページを、ユーザーが携帯端末装置１で実際に閲覧している領域を中心にして印刷できるので、ＰＣ用ウェブページのデータ量が大きくても、ユーザーにとって不要な情報が大量に印刷されて無駄を生じるという不都合を解消することができる。
【００７１】
図１に示した実施形態において、携帯端末装置１で表示されている携帯用ウェブページに対応するＰＣ用データを印刷装置２で印刷する場合の携帯端末装置１の動作を図４（Ａ）のフローチャートに、印刷装置２の動作を図４（Ｂ）のフローチャートにそれぞれ示す。なお、これらの動作は、携帯端末装置１のＣＰＵ１１、印刷装置２のＣＰＵ２１がそれぞれＲＯＭ１２、ＲＯＭ２２等に格納されている動作プログラムに従って動作することにより実行される。
【００７２】
ステップＳ０１で、閲覧したい携帯用ウェブページのＵＲＬを指定してネットワークインターフェース部１６を介してウェブサービス３にデータ取得リクエストを送信し、ステップＳ０２で、ウェブサービス３から対応する携帯用ウェブページを取得し、表示部１５に表示する。
【００７３】
ステップＳ０３では、ユーザ操作に基づく印刷指示を受け付け、ステップＳ０４で、表示部１５に表示されている携帯用ウェブページのＵＲＬと、表示部１５に実際に表示されている領域である画面表示領域に関する情報を印刷装置２に送信する。
【００７４】
一方、印刷装置２のＣＰＵ２１は、ステップＳ１１で、携帯端末装置１からのＵＲＬと画面表示領域に関する情報を、ネットワークコントローラ２８を介して受信する。次いで、ステップＳ１２で、受信したＵＲＬをＰＣ用ウェブページのＵＲＬに変換するとともに、そのＵＲＬを指定してウェブサービスにデータ取得リクエストを送信したのち、ステップＳ１３で、ＰＣ用ウェブページをダウンロードする。
【００７５】
次に、ステップＳ１４で、携帯端末装置１から送信された画面表示領域に関する情報に基づいて、ダウンロードしたＰＣ用ウェブページの中から前記画面表示領域に該当する領域を判別し、ステップＳ１５で、判別結果を基にダウンロードしたデータの中から印刷領域を決定し、ステップＳ１６で、決定された印刷領域をプリンタ部２６を介して印刷する。
【００７６】
図５は、この発明の他の実施形態に係る印刷システムの構成図である。この実施形態では、印刷装置２が印刷領域の決定後に、決定された印刷領域に関する情報を携帯端末装置１に送信し、これに対する携帯端末装置１からの返信に基づいて、印刷領域の印刷を行うものである。
【００７７】
なお、図５の実施形態において、携帯端末装置１及び印刷装置２の構成は、図１〜３に示したものと同じであるので、説明は省略する。
【００７８】
図５に示した印刷システムにおいて、携帯端末装置１で表示されている携帯用ウェブページの領域に対応する領域のＰＣ用ウェブページを、印刷装置２で印刷する場合の手順を説明する。
【００７９】
ユーザーの操作に基づいて、携帯端末装置１のＣＰＵ１１は、インターネット上のウェブサービス３に所定のＵＲＬを指定してデータ取得リクエストを送信し（丸数字１）、携帯用ウェブページのデータを取得し（丸数字２）、表示部１５に表示する。
【００８０】
ユーザーが、携帯端末装置１の表示部１５に表示されているデータに対応するＰＣ用データを印刷したい場合には、携帯端末装置１の表示操作部１５１を操作して印刷指示を行うと、携帯端末装置１のＣＰＵ１１は、表示部１５に表示されている携帯用ウェブページの格納先情報であるＵＲＬと、表示部１５に実際に表示されている領域（ユーザが閲覧している領域）である画面表示領域に関する情報を、印刷装置２に送信する（丸数字３）。
【００８１】
印刷装置２のＣＰＵ２１は、受信したＵＲＬをＰＣ用ウェブページのＵＲＬに変換  印刷装置２のＣＰＵ２１は、受信したＵＲＬをＰＣ用ウェブページのＵＲＬに変換するとともに、該ＵＲＬを指定してウェブサービス３にリクエストを送信し（丸数字４）、ＰＣ用ウェブページのデータをダウンロードする（丸数字５）。そして、携帯端末装置１から送信された画面表示領域に関する情報に基づいて、ダウンロードしたＰＣ用ウェブページのデータの中から前記画面表示領域に該当する領域を判別し（丸数字６）、この判別結果を基にダウンロードしたデータの中から印刷領域を決定する（丸数字７）。
【００８２】
印刷装置２は、決定された印刷領域に関する情報を携帯端末装置１に送信する（丸数字８）。決定された印刷領域に関する情報としては、例えば、印刷領域が含まれるページの番号や、印刷領域が含まれるページのプレビュー画像等を挙げることができる。
【００８３】
この情報を受信した携帯端末装置１は、その情報を表示部１５に表示する。ユーザーは表示された情報から印刷領域を確認し、全ページを印刷させるか該当ページのみを印刷させるか等を判断し、印刷装置２に対して印刷指示を送信する（丸数字９）。
【００８４】
印刷装置１は、携帯端末装置からの印刷指示を受信し、該印刷指示に基づいて印刷を行う（丸数字１０）。
【００８５】
このようにこの実施形態では、印刷装置２は、携帯端末装置１に送信した印刷領域に関する情報に対する携帯端末装置１からの返信に基づいて印刷を行うから、携帯端末装置１のユーザーの意思を確認して印刷を行うことができる。
【００８６】
図５に示した実施形態において、携帯端末装置１で表示されている携帯用ウェブページに対応するＰＣ用データを印刷装置２で印刷する場合の携帯端末装置１の動作を図６（Ａ）に、印刷装置２の動作を図６（Ｂ）にそれぞれ示す。なお、これらの動作は、携帯端末装置１のＣＰＵ１１、印刷装置２のＣＰＵ２１がそれぞれＲＯＭ１２、ＲＯＭ２２に格納されている動作プログラムに従って動作することにより実行される。
【００８７】
ステップＳ２１で、閲覧したい携帯用ウェブページのＵＲＬを指定してネットワークインターフェース部１６を介してウェブサービス３にデータ取得リクエストを送信し、ステップＳ２２で、ウェブサービス３から対応する携帯用ウェブページを取得し、表示部１５に表示する。
【００８８】
ステップＳ２３では、ユーザ操作に基づく印刷指示を受け付け、ステップＳ２４で、表示部１５に表示されている携帯用ウェブページのＵＲＬと、表示部１５に実際に表示されている領域である画面表示領域に関する情報を印刷装置２に送信したのち、ステップＳ２５で、印刷装置２から印刷領域に関する情報が送信されるのを待つ。
【００８９】
一方、印刷装置２のＣＰＵ２１は、ステップＳ３１で、携帯端末装置１からのＵＲＬと画面表示領域に関する情報を、ネットワークコントローラ２８を介して受信する。次いで、ステップＳ３２で、受信したＵＲＬをＰＣ用ウェブページのＵＲＬに変換するとともに、そのＵＲＬを指定してウェブサービスにデータ取得リクエストを送信したのち、ステップＳ３３で、ＰＣ用ウェブページのデータをダウンロードする。
【００９０】
次に、ステップＳ３４で、携帯端末装置１から送信された画面表示領域に関する情報に基づいて、ダウンロードしたＰＣ用ウェブページの中から前記画面表示領域に該当する領域を判別し、ステップＳ３５で、判別結果を基にダウンロードしたデータの中から印刷領域を決定する。
【００９１】
次いで、ステップＳ３６で、決定した印刷領域に関する情報を携帯端末装置１に送信した後、ステップＳ３７で、携帯端末装置１からの印刷指示を待つ。
【００９２】
携帯端末装置１は印刷装置２からの印刷領域に関する情報を受信すると（ステップＳ２５でＹＥＳ）、ステップＳ２６でその情報を表示部１５に表示し、ステップＳ２７で印刷指示操作が行われるのを待つ。印刷指示操作が行われると（ステップＳ２７でＹＥＳ）、ステップＳ２８で、印刷指示を印刷装置２に送信する。
【００９３】
印刷装置２は、携帯端末装置１からの印刷指示を受信すると（ステップＳ３７でＹＥＳ）、ステップＳ３８でプリンタ部２６を介して印刷を実行する。
【００９４】
なお、図６に示した実施形態において、携帯用ウェブページのＵＲＬのＰＣ用ウェブページのＵＲＬへの変換はウェブサービス３側で行われてもよい点、表示領域に関する情報の内容等については、図１に示した実施形態の場合と同じである。
【００９５】
なお、以上の実施形態では、ウェブサービス３側で携帯用ウェブページとＰＣ用ウェブページを用意しているものとして説明したが、ＰＣ用ウェブページを携帯用ウェブページに変換する中間処理サーバーが存在している場合には、携帯端末装置１は中間サーバーにアクセスして携帯用ウェブページのデータを取得し、印刷装置２は携帯端末装置１から受信した携帯用ウェブページのＵＲＬを中間サーバーに送信し、中間処理サーバーを介してＰＣ用ウェブページのデータを取得しても良い。
【００９６】
また、上記のようなＰＣ用ウェブページを携帯用ウェブページに変換する中間処理サーバーが存在している場合、この中間処理サーバーが、ＰＣ用ウェブページにおける、携帯端末装置１に実際に表示されている表示領域に該当する領域を判別し、印刷領域を決定しても良い。
【００９７】
この場合の印刷システムの構成を図７に示す。
【００９８】
この印刷システムは、携帯端末装置１と印刷装置２と中間サーバー４を備えている。携帯端末装置１及び印刷装置２は図１で示したものと同じ構成である。中間サーバー４はパーソナルコンピュータにより構成されている。
【００９９】
図７の印刷システムでは、ユーザの操作に基づいて、携帯端末装置１のＣＰＵ１１は、中間サーバー４に携帯用ウェブページのＵＲＬを指定してデータ取得リクエストを送信する（丸数字１）。中間サーバー４は受信したＵＲＬをＰＣ用ウェブページのＵＲＬに変換するとともに該ＵＲＬを指定してウェブサービス３にリクエストを送信し（丸数字２）、ウェブサービス３からＰＣ用ウェブページをダウンロードしたのち（丸数字３）、携帯用ウェブページ（携帯用画面）を生成して携帯端末装置１に転送する（丸数字４）。携帯端末装置１は転送された携帯用ウェブページを表示部１５に表示する（丸数字５）。
【０１００】
ユーザーが、携帯端末装置１の表示部１５に表示されているデータに対応するＰＣ用データを印刷したい場合には、携帯端末装置１の表示操作部１５１を操作して印刷指示を行うと、携帯端末装置１のＣＰＵ１１は、表示部１５に表示されている携帯用ウェブページの格納先情報であるＵＲＬと、表示部１５に実際に表示されている領域（ユーザが閲覧している領域）である画面表示領域に関する情報を、印刷装置２に送信する（丸数字６）。
【０１０１】
印刷装置２のＣＰＵ２１は、受信したＵＲＬと画面表示領域に関する情報を中間処理サーバー４に転送する（丸数字７）。このＵＲＬには、表示しているページの元となるＰＣ用ウェブサイトのＵＲＬ、画像表示の有無、分割表示しているページのうち何ページ目を表示しているか、などの情報が含まれている。
【０１０２】
中間処理サーバー４は、受信したＵＲＬをＰＣ用ウェブページのＵＲＬに変換して、ウェブサービス３にデータ取得リクエストを送信し（丸数字８）、ウェブサービス３からＰＣ用ウェブページをダウンロードする（丸数字９）。そして、印刷装置２から送信された画面表示領域に関する情報に基づいて、ダウンロードしたＰＣ用ウェブページの中から前記画面表示領域に該当する領域を判別し（丸数字１０）、この判別結果を基に印刷領域を決定し（丸数字１１）、決定された印刷領域のデータを印刷装置２に送信する（丸数字１２）。
【０１０３】
印刷装置２は、中間サーバー４からの印刷領域のデータを受信して、そのデータをプリンタ部２６を介して印刷する（丸数字１３）。
【０１０４】
なお、印刷装置２は中間サーバー４で決定された印刷領域に関する情報を携帯端末装置１へ送信し、これに対する携帯端末装置１からの印刷指示を待って印刷を行う構成としても良い。
【０１０５】
また、携帯端末装置１から印刷装置２へ送信され、中間サーバー４に転送される表示領域に関する情報の内容等については、図４に示した実施形態の場合と同じである。
【０１０６】
この実施形態によれば、ユーザーが携帯端末装置１で実際に閲覧している領域を中心にして、中間サーバー４がＰＣ用ウェブページから印刷領域を決定し、決定された印刷領域を印刷装置２が印刷するので、ユーザーにとって不要な情報が大量に印刷されて無駄を生じるという不都合を解消することができる。
【０１０７】
以上、本発明の実施形態を説明したが、本発明は上記実施形態に限定されることはない。例えば、携帯用のウェブページをＰＣ用のウェブページに変換して印刷する場合を説明したが、これに限定されることはなく、携帯用データとＰＣ用データの２種類のデータからなる所定形式の文書ファイルが保存されている文書サーバーから、携帯用の文書データをダウンロードして携帯端末装置で閲覧するとともに、携帯用の文書データをＰＣ用の文書データに変換して印刷装置に印刷させるような場合に、本発明を適用しても良い。
【符号の説明】
【０１０８】
１      携帯端末装置
２      印刷装置
３      ウェブサービス
４      中間サーバー（表示データ変換サーバー）
１１    ＣＰＵ
１２    ＲＯＭ
１５    表示部
２１    ＣＰＵ
２２    ＲＯＭ
２６    プリンタ部
【図１】
0005899706.tif 000002
【図２】
0005899706.tif 000003
【図３】
0005899706.tif 000004
【図４】
0005899706.tif 000005
【図５】
0005899706.tif 000006
【図６】
0005899706.tif 000007
【図７】
0005899706.tif 000008
【図８】
0005899706.tif 000009